(57)【要約】【課題】便器使用中に継続的に水はねを防止することが可能な洋風便器装置を提供する。【解決手段】便器本体２のボウル部３に溜め込んだ溜水Ｆに、洗浄液を注入して使用するようにした洋風便器装置１において、洗浄液を泡状にして溜水Ｆ内に注入させる洗浄液注入手段１０と、人による便器の使用の開始、終了を検知する便器使用検知手段８とを備えており、便器使用検知手段８の検知信号にもとづいて、便器を使用中のときは洗浄液注入手段１０を作動して洗浄液を注入して、ボウル部３の溜水面に泡沫を継続的に補給する構成にしている。【選択図】図１
2007314973.tif 000002
【特許請求の範囲】
【請求項１】
便器本体のボウル部に溜め込んだ溜水に、洗浄液を注入して使用するようにした洋風便器装置において、
洗浄液を泡状にして上記溜水内に注入させる洗浄液注入手段と、
人による便器の使用の開始、終了を検知する便器使用検知手段とを備えており、
該便器使用検知手段の検知信号にもとづいて、便器を使用中のときは上記洗浄液注入手段を作動して泡状の洗浄液を注入する構成としたことを特徴とする、洋風便器装置。
【請求項２】
請求項１に記載の洋風便器装置において、
上記洋風便器装置は、上記ボウル部の溜水の排水を指示する排水指示手段を備えており、
上記便器使用検知手段は、便座の開、閉を検知する便座開閉検知センサー、便座への着座有無を検知する人体検知センサーを備え、上記便座開閉検知センサー、人体検知センサー、排水指示手段のうち少なくとも1以上の信号にもとづいて、便器の使用中を判別するようにしたことを特徴とする、洋風便器装置。
【請求項３】
請求項１、２のいずれか１項に記載の洋風便器装置において、
上記洗浄液注入手段は、局部洗浄ノズルを泡状洗浄液の注入口として使用する構成としたことを特徴とする、洋風便器装置。
【発明の詳細な説明】
【技術分野】
【０００１】
本発明は、洗浄液を泡状にして溜水内に注入させるようにした洋風便器装置の改良に関するものである。
【背景技術】
【０００２】
従来の水洗式の洋風便器装置には、例えば特許文献１に示すように、ボウル部内の洗浄効果の向上および排尿、排便時の水はね（いわゆる、おつり）防止を図り、洗浄液に気泡を混入させたものが提案されている。
【０００３】
また、水洗式の洋風便器装置はボウル部内の溜水が一定の高さに保たれているため、ボウル部内壁の溜水面境界付近には、経年使用による水垢などの汚れが付着しやすいが、洗浄液に薬剤や洗剤を混入するなどして溜水面全体を泡状に維持できるようにすれば、内壁の汚れの発生を防止したり、遅らせたりすることもできる。
【特許文献１】特開２００２−８８８８０号公報
【発明の開示】
【発明が解決しようとする課題】
【０００４】
しかしながら、便器の使用中にいちど排尿、排便をすると、落下する尿や便により溜水面の泡が消え泡面は穴が開いた状態になるため、その後の排尿、排便での継続的な水はね防止の効果はほとんど期待できなくなる。
【０００５】
本発明は、このような事情を考慮して提案されたもので、その目的は、便器使用中に継続的に水はねを防止することが可能な洋風便器装置を提供することにある。
【課題を解決するための手段】
【０００６】
上記目的を達成するために、請求項１に記載の洋風便器装置は、便器本体のボウル部に溜め込んだ溜水に、洗浄液を注入して使用するようにした洋風便器装置において、洗浄液を泡状にして溜水内に注入させる洗浄液注入手段と、人による便器の使用の開始、終了を検知する便器使用検知手段とを備えており、便器使用検知手段の検知信号にもとづいて、便器を使用中のときは洗浄液注入手段を作動して泡状の洗浄液を注入する構成にしている。
【０００７】
請求項２に記載の洋風便器装置は、洋風便器装置は、ボウル部の溜水を排水する排水指示手段を備えており、便器使用検知手段は、便座の開、閉を検知する便座開閉検知センサー、便座への着座有無を検知する人体検知センサーを備え、便座開閉検知センサー、人体検知センサー、排水指示手段の操作のうち少なくとも1以上の信号にもとづいて、便器の使用中を判別する構成にしている。
【０００８】
請求項３に記載の洋風便器装置は、洗浄液注入手段が泡状洗浄液の局部洗浄ノズルを注入口として使用する構成にしている。
【発明の効果】
【０００９】
請求項１に記載の洋風便器装置によれば、便器使用中を判断して、その間に洗浄液注入手段を作動させて洗浄液を注入する構成にしているため、排尿、排便中に、泡状の洗浄液をボウル部内に継続的に注入することができる。その結果、排尿、排便中の水はねを継続的に防止することができる。
【００１０】
請求項２に記載の洋風便器装置によれば、便座開閉検知センサー、人体検知センサー、排水指示手段のうち少なくとも1以上の検知信号にもとづいて便器の使用中を判断しているため、便座に着座した状態での排尿、排便、および立位による排尿による便器使用中を適切に判別して、泡状の洗浄液を継続注入することができる。
【００１１】
請求項３に記載の洋風便器装置によれば、局部洗浄ノズルを泡状洗浄液の注入口として使用する構成にしているため、通常排水用の洗浄液の注入と、排尿、排便中の泡状洗浄液の注入とを別々の注入口より分けて行うことができ、その結果、排尿、排便時には泡沫を溜水面の中央に容易に集結させることができる。また、ボウル部内の溜水への泡沫量の調節もしやすい。
【発明を実施するための最良の形態】
【００１２】
以下に、本発明の実施の形態について、添付図面とともに説明する。
【実施形態１】
【００１３】
図１は、本発明の洋風便器装置の一例を示した外観斜視図である。また図２は、図１に示した洋風便器装置の内部基本構成を示すブロック図である。
【００１４】
この洋風便器装置１は、ボウル部３とスカート部４とを含んで樹脂または陶器で形成された便器本体２、便座５、便蓋６、便座・便蓋用の回動部７を備えており、ボウル部３の上端にはリム部３ａが連設され、その内部には所定量の水（排水）が、排水時以外は溜水Ｆとして常時、貯留されている。また、本洋風便器装置１は、洗浄液を泡状にしてボウル部３内に注入するようにした洗浄液注入手段１０（図４にて後述）を有しており、それによって、図示するように溜水面Ｆａに泡沫Ｂを浮かせた状態にできるようにしている。
【００１５】
なお、ボウル部３の底部から後方へ排出管１３ａ（図４参照）が延出され、排出管１３ａより排水する構造となっているが、この排水構造については図４にて後述する。
【００１６】
また、回動部７は、その前面側に、人が便座５に着座したことを検知する光センサーなどで構成された人体検知センサー８ｂを備え、矢印方向への便座５の開、閉を検知する便座開閉センサー８ａ（図２に図示）を内蔵している。なお、人体検知センサーは上記のものに限られず、便座５に内蔵した圧力センサーなどでもよく、設置場所は関係せず、人の使用が検知できるものであればよい。
【００１７】
また、便器本体２の後方には、ボウル部３の溜水の排水を指示する排水指示手段（水洗レバー８ｃ）を設けている。排水指示手段としては、水洗レバー８ｃの代わりに、水洗操作リモコン、非接触式センサーなど排水を指示可能とした種々のセンサー、スイッチを設けてもよい（不図示）。
【００１８】
図２で示すように、本実施形態では、上記の便座開閉センサー８ａ、人体検知センサー８ｂ、水洗レバー８ｃが便器使用検知手段８を構成しており、ＣＰＵなどで構成された制御手段９が、これらの検知信号、操作信号などを入力して、便器の使用の開始、終了を判断して、便器使用中と判断したときに洗浄液注入手段１０を作動させて泡状の洗浄液を注入するようにしている。
【００１９】
次に、本発明の洋風便器装置１の洗浄液注入基本動作について説明する。図３は、この基本動作のフローチャートの一例である。
【００２０】
制御手段９は、人体検知センサー８ｂによる着座検知か、便座開閉検知センサー８ａによる便座５の開閉操作を検知すると、洗浄液注入手段１０を作動させて泡状洗浄液の注入を開始し、その後、人体検知センサー８ｂのオフを入力したときに注入を停止する（ステップ１０１〜１０３、１０７〜１０９）。
【００２１】
一方、着座が検知されず便座５が開操作されたときには、制御手段９は男子小用による便器使用開始と判断して泡状洗浄液の注入を開始し、その後、水洗レバー８ｃが操作されると、便器使用終了と判断して注入を停止する（ステップ１０１〜１０６）。
【００２２】
上記の基本動作によれば、男子小用で使用する際に便座５が開状態にあっても、便器使用開始を判断させるために使用者は便座５の閉、開操作をしなければならないが、そのような操作を必要とさせないために、立位、座位を区別できるセンサーを設けてタイマーと組合せ判断により男子小用の開始を判断するようにしてもよい。また、便器使用開始スイッチ、入退室センサー、便蓋開閉センサーなどの人体をあるいは人の操作を検知する種々のセンサー（総称して人体検知センサー）を設け、それらの検知信号を便器装置側に入力して、それらの信号を種々組み合わせて便器使用の開始、終了を判断するようにしてもよい。
【００２３】
以上のように、便器の使用開始、終了を各種センサー、スイッチによって判断することによって、便器使用中は継続して泡状の洗浄液を注入するようにしているため、排尿、排便中にも泡沫Ｂは継続的に補給され、特に溜水面Ｆａの中央部分に泡Ｂを維持させることによって、水はね防止効果を継続させることができる。なお、便器使用の終了を検知しても、その後の所定時間は洗浄液の注入を継続してもよい。
【００２４】
図４は、本発明の洋風便器装置の縦断面を模式的に示したものである。本図により、泡状洗浄液の注入原理について説明する。
【００２５】
洋風便器装置１は、洗浄液を泡状にしてボウル部３内の溜水Ｆに注入させるために、洗浄液供給装置１１と、微細泡粒を洗浄液に混入する微細泡粒発生装置１２とよりなる洗浄液供給手段１０を有している。
【００２６】
ここに洗浄液供給装置１１は、水道水からなる洗浄液をいったんロータンク１１ａ内に溜め、所定量の水を、洗浄水流路１１ｂを介して吐水部１１ｃからボウル部３に吐出するようにしており、洗浄液は、ボウル部３内に直接吐出され、あるいは、ボウル部３の上端に連なるリム部３ａを介してボウル部３の周囲からボウル部３内に吐出されるようになっている。なお、１１ｄは、水道管からロータンク１１ａ内への洗浄液を供給、停止するための洗浄液供給弁を示している。
【００２７】
一方の微細泡粒発生装置１２は、ロータンク１１ａ内へ供給する洗浄液に気体を混入させて気体混合洗浄液を得る気体混入部１２ａと、気体混入部１２ａから洗浄液が逆流することを防止する逆止弁１２ｂと、水道管（不図示）からロータンク１１ａ内へ洗浄液を圧送するエアポンプ１２ｃと、ロータンク１１ａと兼用して構成され、エアポンプ１２ｃで圧送された気体混合洗浄液の泡粒を高圧下で洗浄液に溶解させて気体溶解洗浄液を得る溶解タンク１２ｄと、気体溶解洗浄液内の気体を析出させて微細泡粒を発生させて微細泡粒含有洗浄液を得る泡発生ノズル１２ｅとを備えている。
【００２８】
図４に示したように、洗浄液流路１１ｂのボウル部３に通じる吐水部１１ｃに泡発生ノズル１２ｅを配置することによって、洗浄液を泡状にしてボウル部３内へ供給している。
【００２９】
また、ボウル部３底部から排水路１４まで延出された排出管１３ａが便器本体２に内装され、この排出管１３ａによってトラップ部１３を構成し、このトラップ部１３によって、ボウル部３内の溜水Ｆが一定の高さを保持できるようになっている。なお図４の例では、サイホン型のトラップ部を構成しているが、ターントラップ型であってもよい。
【００３０】
以上の構成によれば、上記の洗浄液供給手段１０を便器使用中に自動作動させるようにしており、そのため、便器使用中であっても泡沫Ｂを溜水面Ｆａへ継続的に補給でき、それにより、排尿、排便中の水はね防止効果を継続することができる。
【実施形態２】
【００３１】
図５は、本発明の他の実施形態を示す洋風便器装置の外観斜視図である。本実施形態では、便器装置１Ａは、泡状洗浄液の注入口として局部洗浄ノズル１０ａを使用した洗浄液注入手段１０Ａを備えている。なお、本実施形態の他の構成、基本動作は実施形態１と同様であるため、それらの図面は図２〜図４を代用し、図示および説明は省略する。また、図５においては、実施形態１と同様の構成部位については同一の符号を付して、その説明は省略する。
【００３２】
この構成によれば、局部洗浄ノズル１０ａで泡状の洗浄液を溜水Ｆ内に注入しているため、溜水面Ｆａの中央付近に位置した局部洗浄ノズル１０ａのノズル口によって泡沫Ｂを溜水面Ｆａの中央に集結させやすく、便器使用中の水はね防止に適している。また泡沫量の調節もしやすい。
【００３３】
便器使用中の泡注入を主に水はね防止目的のために使用するのであれば、便器使用中のときは局部洗浄ノズル１０ａで泡状の洗浄液を注入し、通常排水のときには、吐水部１１ｃ（図４参照）から直接吐出、あるいはリム部３ａを介して吐出するように構成することが望ましい。
【００３４】
また、局部洗浄ノズル１０ａは局部洗浄に使用するため、局部洗浄の開始操作をしたときに泡状洗浄液の注入を停止し、その後、局部洗浄の停止操作をしたときに着座していれば泡状洗浄液の注入を再開する、などの局部洗浄と泡注入との切替ロジックを必要とすることは言うまでもない。
【図面の簡単な説明】
【００３５】
【図１】本発明の洋風便器装置の一実施形態を示した外観斜視図である。
【図２】図１に示した洋風便器装置の内部基本構成を示すブロック図である。
【図３】図１に示した洋風便器装置の基本動作を示すフローチャートである。
【図４】図１に示した洋風便器装置の模式縦断面図である。
【図５】本発明の洋風便器装置の他の実施形態を示した外観斜視図である。
【符号の説明】
【００３６】
１      洋風便器装置
２      便器本体
３      ボウル部
４      スカート部
５      便座
６      便蓋
７      回動部
８      便器使用検知手段
８ａ      便座開閉検知センサー
８ｂ      人体検知センサー
８ｃ      水洗レバー（排水指示手段）
９      制御手段
１０      洗浄液注入手段
１Ａ      洋風便器装置（実施形態２）
１０ａ      局部洗浄ノズル
【図１】
2007314973.tif 000003
【図２】
2007314973.tif 000004
【図３】
2007314973.tif 000005
【図４】
2007314973.tif 000006
【図５】
2007314973.tif 000007